(57)【要約】【課題】遊技盤上を転動する遊技球の振り分けを行う遊技球振分部材を構成する弾性部材を、遊技盤に対して弾性方向が平行に位置するように設置することにより、遊技球の軌道を変化させ、遊技を多様化した遊技機を提供する。【解決手段】遊技盤８の遊技領域９内に設けられた遊技球振分部材３０の胴体部をなすコイルバネ３１が遊技盤８に対して平行方向に位置するように固定部材３３によって支持し、コイルバネ３１の上端部に設けられた遊技球衝突部材３２の垂直方向より進行する遊技球７３を導入孔７４を介してコイルバネ３１の内部へ導くとともに、垂直方向以外より進行する遊技球を遊技球衝突部材３２と衝突させ、その進行方向を大きく変更させるように構成する。また、コイルバネ３１の前面に取り付けられた変形支持部材８５により、コイルバネ３１の弾性変形方向を遊技盤８に対して平行方向に限定するように構成する。【選択図】図９
2010158596.tif 000002
【特許請求の範囲】
【請求項１】
中枠と、
遊技領域を有するとともに前記中枠の中央部に取り付けられた遊技盤と、
前記遊技領域内で前記遊技盤に対して平行に設けられるとともに、遊技盤に対して平行方向に弾性変形する弾性部材と、
前記弾性部材の下端を前記遊技盤に固定する固定部材と、
前記弾性部材の上端に設けられ、前記遊技領域内で転動する遊技球に接触するとともに、接触した遊技球の進行方向を変更させる遊技球衝突部材と、
前記弾性部材の弾性変形方向を前記遊技盤に対して平行方向のみに限定する変形支持部材と、を有し、
前記弾性部材は前記遊技球の直径より大きい内径を有するコイルバネからなり、
前記遊技球衝突部材は、前記遊技球を前記コイルバネの内部に導く導入孔を有し、
前記固定部材は、前記導入孔から導かれ、前記コイルバネの内部を通過した前記遊技球を再び前記遊技領域へと排出する排出孔を有し、
前記変形支持部材は、
少なくとも２つの板状部材を前記遊技盤に対して平行方向に、且つ互いに回転可能となるように連結して構成され、
一端の前記板状部材が前記遊技盤に対して平行方向に回転可能となるように前記遊技球衝突部材に対して支持され、
他端の前記板状部材が前記遊技盤に対して平行方向に回転可能となるように前記固定部材に対して支持されることを特徴とする遊技機。
【発明の詳細な説明】
【技術分野】
【０００１】
本発明は、遊技領域内で転動する遊技球の進行方向を変化させる遊技球衝突部材を有する遊技機に関し、特に、変形方向が遊技盤に対して平行方向をなすように配置した弾性部材の一端に遊技球衝突部材を設けることにより、遊技を多様化したパチンコ機等の遊技機に関する。
【背景技術】
【０００２】
遊技機の一つであるパチンコ機では、遊技盤の遊技領域内に遊技球を送り出し、遊技盤上に多数配設された遊技釘等によって流下する遊技球の挙動を変化させながら遊技球がアウト口へ入るか、あるいは入賞口に入り、賞球を獲得し得るかを楽しむものである。しかし、遊技球の挙動を変化させる手段として従来から用いられている遊技盤に固定された遊技釘のみを遊技領域に有する遊技機では、転動する遊技球の軌道は、一定の範囲のみでの変化に限られ、遊技が単調になる虞があった。そこで、例えば特開２００２―６５９８１号広報には、遊技盤に配設され流下する遊技球の挙動を変化させる釘本体を釘本体の軸部を固定する保持体を介して弾性体からなるスプリングに固定するとともに、スプリングを筒状部材の内側底部に設けられた溝に嵌合して構成することにより、釘本体に荷重が掛かると該釘本体が可動し、遊技球の軌道を多彩に変化させることとした遊技機が記載されている。
【先行技術文献】
【特許文献】
【０００３】
【特許文献１】特開２００２−６５９８１号公報（第２頁〜第３頁、図１〜図３）
【発明の概要】
【発明が解決しようとする課題】
【０００４】
しかしながら、前記した特許文献１に記載された遊技機では、弾性変形を行うスプリングは外部から視認することができず、また、実際に遊技盤に対して可動するように設けられた遊技釘も、その可動量はごくわずかであり、遊技中の遊技者がその動きを認識することが困難となっていた。従って、遊技球の軌道に変化が生じたとしても、盤面上に明確な変化が現れないので、遊技が単調となり遊技者を飽きさせる虞があった。更に、遊技釘の可動範囲がごくわずかなことから、遊技球を遊技者の予測し得ないような多様な転動態様を実現することはできなかった。
【０００５】
本発明は、前記従来の問題点を解消するためになされたものであり、遊技領域を転動する遊技球の進行軌道を変更させる遊技球衝突部材を一端に備え、遊技盤上で多彩に変形する弾性部材を遊技者側より視認可能とすることにより遊技者の興趣を高め、また、遊技球の軌道に関しても遊技者の予測し得ない程度の大きな変化を与えることを可能とすることで、遊技性を多様化した遊技機を提供することを目的とする。
【課題を解決するための手段】
【０００６】
前記目的を達成するため請求項１に係る遊技機は、中枠と、遊技領域を有するとともに前記中枠の中央部に取り付けられた遊技盤と、前記遊技領域内で前記遊技盤に対して平行に設けられるとともに、遊技盤に対して平行方向に弾性変形する弾性部材と、前記弾性部材の下端を前記遊技盤に固定する固定部材と、前記弾性部材の上端に設けられ、前記遊技領域内で転動する遊技球に接触するとともに、接触した遊技球の進行方向を変更させる遊技球衝突部材と、前記弾性部材の弾性変形方向を前記遊技盤に対して平行方向のみに限定する変形支持部材と、を有し、前記弾性部材は前記遊技球の直径より大きい内径を有するコイルバネからなり、前記遊技球衝突部材は、前記遊技球を前記コイルバネの内部に導く導入孔を有し、前記固定部材は、前記導入孔から導かれ、前記コイルバネの内部を通過した前記遊技球を再び前記遊技領域へと排出する排出孔を有し、前記変形支持部材は、少なくとも２つの板状部材を前記遊技盤に対して平行方向に、且つ互いに回転可能となるように連結して構成され、一端の前記板状部材が前記遊技盤に対して平行方向に回転可能となるように前記遊技球衝突部材に対して支持され、他端の前記板状部材が前記遊技盤に対して平行方向に回転可能となるように前記固定部材に対して支持されることを特徴とする。尚、ここで遊技盤に対して平行方向とは、遊技盤の面に対して平行をなす面を示す。
【０００７】
上記構成を有する遊技機では、遊技盤の遊技領域内に設けられた遊技盤に対して平行方向に弾性変形する弾性部材の一端に設けられた遊技球衝突部材により、遊技領域内で転動する遊技球の進行方向を変更させるので、遊技者は遊技盤上で多彩に変形する弾性部材を遊技者側より視認可能とすることにより遊技者の興趣を高めることができる。また、遊技球の軌道に関しても遊技者の予測し得ない程度の大きな変化を与えることが可能となるので、遊技性を多様化させることができる。
また、弾性部材の弾性変形方向を遊技盤に対して平行方向のみに限定する変形支持部材を有するので、弾性部材は遊技盤に対して前後方向に変形することなく、遊技球衝突部材が窓部に嵌められたガラス板や、遊技盤に対して衝突することがない。従って、ガラス板や、遊技盤との衝突による衝突音の発生を防止し、また衝突の衝撃によって各部材が破損する虞もなくなる。
また、遊技球の直径より大きい内径を有するコイルバネにより弾性部材を構成し、遊技球衝突部材及び固定部材の一方に、遊技球をコイルバネの内部に導く導入孔を設け、他方に遊技球を排出する排出孔を設けたので、特に導入孔に対して垂直方向より遊技球が進入した際には、遊技球は、導入孔よりコイルバネの内部に導かれ、排出孔より再び遊技領域へと排出される。従って、衝突による遊技球の軌道変更に加えて、遊技球を弾性部材、遊技球衝突部材、及び固定部材の内部に通過させる新たな軌道を提供し、遊技性を多様化させることができる。
【図面の簡単な説明】
【０００８】
【図１】第１実施形態に係るパチンコ機の全体を示した正面図である。
【図２】第１実施形態に係るパチンコ機の遊技盤を示した正面図である。
【図３】第１実施形態に係るパチンコ機を示した背面図である。
【図４】第１実施形態に係る遊技盤に設けられた遊技球振分部材を示した正面図である。
【図５】第１実施形態に係る遊技盤に設けられた遊技球振分部材を示した上面図である。
【図６】第１実施形態に係る遊技盤に設けられた遊技球振分部材を示した側面図である。
【図７】遊技球が垂直方向より進行した際の第１実施形態に係る遊技球振分部材を示した正面図である。
【図８】遊技球が垂直以外の方向より進行した際の第１実施形態に係る遊技球振分部材を示した正面図である。
【図９】第２実施形態に係る遊技盤に設けられた遊技球振分部材を示した正面図である。
【図１０】第２実施形態に係る遊技盤に設けられた遊技球振分部材を示した側面図である。
【図１１】第３実施形態に係る遊技盤に設けられた遊技球振分部材を示した正面図である。
【図１２】第３実施形態に係る遊技盤に設けられた遊技球振分部材を示した側面図である。
【図１３】第３実施形態に係る遊技盤に設けられた遊技球振分部材を示した上面図である。
【図１４】遊技球が垂直方向より進行した際の第３実施形態に係る遊技球振分部材を示した正面図である。
【図１５】遊技球が垂直以外の方向より進行した際の第３実施形態に係る遊技球振分部材を示した正面図である。
【発明を実施するための形態】
【０００９】
以下、本発明に係る遊技機をパチンコ機について具体化した第１乃至第３実施形態について図面を参照して詳細に説明する。
【００１０】
（第１実施形態）
先ず、第１実施形態に係るパチンコ機の概略構成について図１乃至図３に基づき説明する。図１は第１実施形態に係るパチンコ機の全体を示した正面図である。図２は第１実施形態に係るパチンコ機の遊技盤を示した正面図である。図３は第１実施形態に係るパチンコ機を示した背面図である。
【００１１】
図１乃至図３に示すように、第１実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図３においては、カード式球貸機の図示を省略している。パチンコ機１は、木製の外枠２に対して合成樹脂製の中枠３が、前枠取付用ヒンジを構成する上ヒンジ４及び下ヒンジ５を介して外枠２に対して開閉自在に取り付けられている。そして、この中枠３のほぼ上半分の前側には、合成樹脂製の前面カバー部材６が左端縁部の上下を軸支されて開閉自在に取り付けられている。また、この前面カバー部材６のほぼ中央部には略円形の窓部７が開設され、この窓部７の外周縁部に形成されるガラス保持枠に装着された２枚のガラスを通して遊技盤８上の遊技領域９を見ることができるように構成されている。また、前面カバー部材６の窓部７の上端縁部には、フルカラーの発光ダイオードが内蔵され、遊技中のエラーを表示するエラー表示電飾ランプ１０Ａが取り付けられている。また、このエラー表示電飾ランプ１０Ａの左右外側には、「当たり」等の発生を報知したり遊技中に光演出をする各電飾ランプ１０Ｂが取り付けられている。また、前面カバー部材６の前面部分は、不透明な合成樹脂製の前面部材６Ａで覆われており、この各電飾ランプ１０Ａ、１０Ｂと窓部７の上端周縁部との間に、不図示のフルカラーダイオードが左右方向に内蔵され、遊技中に光演出が行われる。
【００１２】
また、前面カバー部材６の右側中央部には、中枠３及び前面カバー部材６を施錠する施錠装置（不図示）を操作するための鍵挿入部１１が設けられている。前面カバー部材６を開くためには、この鍵挿入部１１に所定のキーを挿入して所定方向に回せば、施錠装置のロック状態が解除されて、前面カバー部材６のみがオープンされる。
【００１３】
また、この前面カバー部材６の下側には、賞球払出装置を介して払い出される賞球を受ける上皿１２がスピーカ１３を内蔵して合成樹脂製プレート１４に配設されている。また、この合成樹脂製プレート１４は、左端縁部の上下を軸支されて、前面カバー部材６を開放後、内側に設けられた不図示のレバーを下げることにより開放できるように取り付けられている。また、この上皿１２の中央前面部には、カード式球貸機の操作ボタン１５、１６及びカード残高表示装置１７が設けられている。そして、その上皿１２の下には、下皿１８が配設される。また、上皿１２に連通する不図示の球送り機構を介して上皿１２のパチンコ球が操作ハンドル１９に連結された発射装置２０へ送られるよう構成されている。
【００１４】
次に、図２において、パチンコ機１における遊技盤８上の遊技領域９の構成について説明する。この遊技領域９は、所定厚さの板材をなした遊技盤８上に入賞口などの各構造物が配設され、それを囲むように環状のレール２２が立設されて構成されている。このレール２２は、発射されたパチンコ球を遊技領域９内に案内する重複して形成した案内路２３を構成し、右肩部にはレール２２に沿って打ち込まれるパチンコ球の進行を制限するための段差部２４を有する。
【００１５】
遊技領域９のほぼ中央には、開口部が開設され、この開口部の前面側に特別図柄表示装置２５が配設されている。この特別図柄表示装置２５は、遊技盤８の前面側から取り付けられる装飾部材２６と、遊技盤８の裏面側から取り付けられる液晶表示器（ＬＣＤ）２７等から構成されている。この液晶表示器２７は、左、中、右に３つの変動図柄を表示する液晶パネルであって、左下角部には、左右に２分割された普通図柄を表示する普通図柄表示部２８が構成されている。
【００１６】
一方、特別図柄表示装置２５の左側部には、遊技球振分部材３０が設けられている。遊技球振分部材３０は、遊技球振分部材３０は、遊技領域９内を転動する遊技球に衝突し、衝突した遊技球を左右に振り分けるものであり、弾性部材であるコイルバネ３１と、コイルバネ３１の上端部に取り付けられた遊技球衝突部材３２と、コイルバネ３１の下端を支持するとともに遊技盤８上にコイルバネ３１を固定する固定部材３３とにより構成されている。尚、遊技球振分部材３０の詳細については後述する。
【００１７】
また、特別図柄表示装置２５の左右には風車３５、３６、３７が回転自在に設けられている。また、特別図柄表示装置２５の直下には、始動口３９が配設されている。この始動口３９には、パチンコ球の入賞を検出する始動口スイッチ（不図示）が設けられ、パチンコ球の入賞を検出することで液晶表示器２７に表示されている特別図柄が変動する。そして、特別図柄が変動中に始動口３９に入賞した場合には、入賞個数が４個まで後述のメイン制御基板に設けられるＲＡＭの保留カウンタに記憶されて変動確定回数として保留される。そして、この保留カウンタに記憶されているカウント値を表示する保留ランプ４０が、液晶表示器２７の左側に計４個配置されている。
【００１８】
また、始動口３９の左右両側にはゲート４１、４２が配置され、各ゲート４１、４２にはパチンコ球の通過を検出するゲートスイッチ（不図示）が備えられており、パチンコ球の通過を検出することで普通図柄表示部２８の普通図柄が変動する。そして、このゲート４１又はゲート４２にパチンコ球が入って、普通図柄表示部２８の普通図柄が変動後、所定の表示態様で停止した場合（例えば、「１１」、「７７」のように揃った場合等）には、始動口３９の上部に設けられるチューリップ式役物３９Ａが所定時間（第１実施形態では、約１秒間）開かれ、この始動口３９にパチンコ球が入賞する確率が増加する。
【００１９】
そして、始動口３９の下側には、横幅が広い上方に開口する開閉扉４４で前面部を覆われる大入賞口４５が形成されている。また、この大入賞口４５の左右両側には上方に開口する各入賞口４７、４８が前面側に突出して形成されている。また、各入賞口４７、４８の更に両側部には、各電飾ランプ４９、５０が内蔵されている。
【００２０】
また、入賞口４７、４８の下方には下入賞口５１、５２が配設されている。下入賞口５１、５２は遊技盤８裏面の不図示の賞球樋に連通され、この下入賞口５１、５２への入賞を検出する下入賞口スイッチ（不図示）が設けられている。また、大入賞口４５の直下にはレール２２に沿ってアウト口５３が開設されている。更に、レール２２に囲まれたこのような遊技領域９には、前記各構成物とともに複数の釘が打設されてパチンコ球の複雑な流路を構成している。
【００２１】
次に、図３に基づいてパチンコ機１の背面側の構成について説明する。
図３に示すように、中枠３のほぼ中央部には遊技盤８が着脱自在なように鉄板等の金属製の機構盤５５が取り付けられている。そして、この機構盤５５の裏側には合成樹脂製の機構セット盤５６が開閉自在に蝶番により取り付けられている。
また、パチンコ機１の裏側の背面上方部には、上方に開口した賞球タンク５７が機構セット盤５６に固定されている。賞球タンク５７は、傾斜した底面に連通孔５８が形成され、その連通孔５８の下方にはパチンコ球を１列に整列流出し、賞球ケース５９にパチンコ球を送る通路を形成するタンクレール６０が取り付けられている。
【００２２】
また、賞球ケース５９にパチンコ球を案内する賞球案内部６１内には、タンクレール６０の下流側のパチンコ球を送る１列の賞球通路が形成されている。
また、賞球ケース５９内には、賞球案内部６１内の賞球通路を通過するパチンコ球を確認する球有り検出スイッチやパチンコ球の払い出しを調節する払い出しソレノイドが内装されている。そして、これら賞球タンク５７、タンクレール６０、賞球案内部６１、賞球ケース５９等により賞球及び貸球の払い出しシステムが構成されている。
そして、賞球ケース５９の下流側には排出部が形成され、入賞球を排出する入賞球排出通路６２及び下皿オーバーフロースイッチ（不図示）が内装された下皿排出路６３が下端部下方に形成されている。また、この下皿排出路６３を介して上皿１２から溢れた賞球を受けて下皿１８に案内する下部受皿ボックス６４が中枠３の裏側に取り付けられている。
【００２３】
また、タンクレール６０の下側には液晶表示装置（ＬＣＤ）等をカバーする合成樹脂製のセンターカバー６５が取り付けられている。そして、このセンターカバー６５の背面部内側には、ＬＣＤ等を駆動制御する表示制御基板６６、スピーカ１３等を駆動制御する音制御基板６７、及び電飾ランプ１０Ｂ等を駆動制御するランプ制御基板６８が取り付けられている。また、センターカバー６５の下側には、パチンコ機１の遊技動作を制御するメイン制御基板６９が内蔵される基板ケース７０が配設されている。また、この基板ケース７０の右下には電源ボックス７１が配設されている。
【００２４】
続いて、前記遊技盤８の遊技領域９内に設けられた遊技球振分部材３０について図４乃至図６を用いて詳細に説明する。図４は第１実施形態に係る遊技盤に設けられた遊技球振分部材を示した正面図、図５は第１実施形態に係る遊技盤に設けられた遊技球振分部材を示した上面図、図６は第１実施形態に係る遊技盤に設けられた遊技球振分部材を示した側面図である。
【００２５】
遊技球振分部材３０は、図４乃至図６に示すように、弾性部材であるコイルバネ３１と、コイルバネ３１の上端部に取り付けられた遊技球衝突部材３２と、コイルバネ３１の下端を支持するとともに遊技盤８上にコイルバネ３１を固定する固定部材３３とにより構成されている。
【００２６】
コイルバネ３１は、バネを構成する各寸法が、内径Ｄ１、巻きピッチＰ（図４参照）となるように形成されている。更に、下端部が固定部材３３によって固定され、遊技盤８に対して平行に、且つコイルバネ３１の長さ方向がパチンコ機１の設置面に対して垂直になるように支持されている。一方、上端には遊技球衝突部材３２が取り付けられている。
そして、第１実施形態に係るコイルバネ３１は、遊技領域内を転動する遊技球７３（図７参照）の直径ｄよりも内径Ｄ１は大きく、巻きピッチＰは小さくなるように設定される。尚、ここで遊技盤８に対して平行とは、遊技盤８に対して平行を為す面を示す。
【００２７】
遊技球衝突部材３２は、例えばポリカーボネート等の合成樹脂により略半球形状に成形されており、コイルバネ３１の上端に球面が上方に位置するように取り付けられている。更に、遊技球衝突部材３２の内部には、導入孔７４が設けられている。導入孔７４は直径Ｄ２（図４参照）の円形断面を有し、遊技球衝突部材３２の上面より下面に貫通して形成されている。
そして、第１実施形態に係る遊技球衝突部材３２は、遊技領域内を転動する遊技球７３（図７参照）の直径ｄよりも導入孔７４の円直径Ｄ２が大きくなるように設定される。
【００２８】
固定部材３３は、遊技球衝突部材３２と同じく、例えばポリカーボネート等の合成樹脂により成形されており、コイルバネ３１の下端を支持する台座部７５と、遊技盤８と当接して固定される平板部７６とから基本的に構成されている。
【００２９】
台座部７５は、平板部７６に対して突出して形成されており、その中央部には、前記遊技球衝突部材３２に形成された導入孔７４と同じ直径Ｄ２の円形断面を有する排出孔７７が形成されている。排出孔７７は、コイルバネ３１が固定された上面から下面へと貫通されて形成されている。
【００３０】
一方、平板部７６は、コイルバネ３１を遊技盤８に対して固定する為の接合部分であり、略長方形状の板状部材から構成されている。そして、右上角部と左下角部とにネジ孔７９が形成されており、平板部７６が遊技盤８面に当接させるとともに、ネジ８０によって遊技盤８に固定される。
【００３１】
続いて、以上のように構成された遊技球振分部材３０の遊技球の振り分け機構について説明する。図７は遊技球が垂直方向より進行した際の遊技球振分部材を示した正面図である。図８は遊技球が垂直以外の方向より進行した際の遊技球振分部材を示した正面図である。
【００３２】
遊技者がハンドル１９を回し、発射装置２０（図３参照）より遊技領域９内に発射された遊技球７３が、遊技球衝突部材３２に対して垂直上向きより進行してきた場合には、図７に示すように、遊技球衝突部材３２の導入孔７４に遊技球７３が進入する。
そして、導入孔７４より進入された遊技球７３は、コイルバネ３１の内部を落下し、固定部材３３の台座部７５に形成された排出孔７７を通過して、再び遊技領域９へと排出される。その際、前記したように遊技領域内を転動する遊技球７３（図７参照）の直径ｄよりも巻きピッチＰは小さくなるように設定されているので、コイルバネ３１の内部に誘導された遊技球７３がコイルバネ３１の側面より排出される虞はない。
【００３３】
一方、発射装置２０（図３参照）より遊技領域９内に発射された遊技球７３が、遊技球衝突部材３２に対して垂直上向き以外の方向（斜め方向や横方向等）より進行してきた場合には、図８に示すように、遊技球衝突部材３２に遊技球７３が衝突する。
ここで、遊技球７３に衝突された遊技球振分部材３０は、衝突の衝撃によって胴体部となるコイルバネ３１が遊技盤８に対して平行方向に弾性変形し、更にバネの弾性力によって左右方向（図８中、矢印８２方向）に往復運動する。
一方、遊技球衝突部材３２に衝突した遊技球７３は、その進行方向を大きく変更し、再度遊技領域９へと送り出される。また、遊技球７３が衝突した遊技球振分部材３０は前記したようにコイルバネ３１の弾性変形によって左右方向へと振り子のように移動することとなるので、遊技盤８に対して固定された振分部材等に衝突した場合と比較して、衝突した遊技球７３の軌道が遊技者の予測し得ない多彩な変化をすることとなる。
【００３４】
以上説明した通り第１実施形態に係るパチンコ機１では、遊技盤８の遊技領域９内に設けられた遊技球振分部材３０は、胴体部をなすコイルバネ３１が遊技盤８に対して平行方向に位置するように固定部材３３によって支持され、コイルバネ３１の上端部に設けられた遊技球衝突部材３２に遊技球７３が衝突した際には、衝突の衝撃によってコイルバネ３１が弾性変形し、遊技球衝突部材３２が左右方向に往復運動するとともに、衝突した遊技球７３は移動する遊技球衝突部材３２によってその進行方向を大きく変更され、再度遊技領域９へと送り出される。従って、遊技者は遊技盤８上で多彩に変形する遊技球振分部材３０を遊技者側より視認可能とすることにより遊技者の興趣を高めることができ、また、遊技球７３の軌道に関しても遊技者の予測し得ない程度の大きな変化を与えることが可能となるので、遊技性を多様化させることができる。
また、特にコイルバネ３１の上端部に設けられた遊技球衝突部材３２に対して垂直方向より遊技球７３が進入した際には、遊技球衝突部材３２に形成された導入孔７４に遊技球７３が進入し、コイルバネ３１の内部を通過して固定部材３３の台座部７５に形成された排出孔７７より再び遊技領域９へと排出されるので、衝突による遊技球７３の軌道変更に加えて、遊技球７３を振分部材の内部に通過させる新たな軌道を提供し、遊技性を多様化させることができる。
【００３５】
（第２実施形態）
次に、第２実施形態に係るパチンコ機について図９及び図１０に基づいて説明する。尚、以下の説明において上記図１乃至図８の第１実施形態に係るパチンコ機１の構成と同一符号は、該第１実施形態に係るパチンコ機１等の構成と同一あるいは相当部分を示すものである。
【００３６】
この第２実施形態に係るパチンコ機の概略構成は、第１実施形態に係るパチンコ機１とほぼ同じ構成である。また、各種制御処理も第１実施形態に係るパチンコ機１とほぼ同じ制御処理である。
但し、第２実施形態に係るパチンコ機は、遊技球振分部材３０にコイルバネ３１の変形方向を限定する変形支持部材が追加して設けられている点で前記第１実施形態に係るパチンコ機１と異なっている。
【００３７】
以下に、第２実施形態に係る遊技盤８の遊技領域９に設けられた遊技球振分部材３０について図９及び図１０を用いて詳細に説明する。図９は第２実施形態に係る遊技盤に設けられた遊技球振分部材を示した正面図、図１０は第２実施形態に係る遊技盤に設けられた遊技球振分部材を示した側面図である。
【００３８】
第２実施形態に係る遊技球振分部材３０は、図９及び図１０に示すように、弾性部材であるコイルバネ３１と、コイルバネ３１の上端部に取り付けられた遊技球衝突部材３２と、コイルバネ３１の下端を支持するとともに遊技盤８上にコイルバネ３１を固定する固定部材３３と、遊技球衝突部材３２と固定部材３３とを連結する変形支持部材８５とにより構成されている。
【００３９】
コイルバネ３１は、バネを構成する各寸法が、内径Ｄ１、巻きピッチＰ（図４参照）となるように形成されている。更に、下端部が固定部材３３によって固定され、遊技盤８に対して平行に、且つコイルバネ３１の長さ方向がパチンコ機１の設置面に対して垂直になるように支持されている。一方、上端には遊技球衝突部材３２が取り付けられている。尚、ここで遊技盤８に対して平行とは、遊技盤８に対して平行を為す面を示す。
そして、第２実施形態に係るコイルバネ３１は、遊技領域内を転動する遊技球７３（図７参照）の直径ｄよりも内径Ｄ１は大きく、巻きピッチＰは小さくなるように設定される。
【００４０】
遊技球衝突部材３２は、例えばポリカーボネート等の合成樹脂により略半球形状に成形されており、コイルバネ３１の上端に球面が上方に位置するように取り付けられている。更に、遊技球衝突部材３２の内部には、導入孔７４が設けられている。導入孔７４は直径Ｄ２（図４参照）の円形断面を有し、遊技球衝突部材３２の上面より下面に貫通して形成されている。
そして、第２実施形態に係る遊技球衝突部材３２は、遊技領域内を転動する遊技球７３（図７参照）の直径ｄよりも導入孔７４の円直径Ｄ２は大きくなるように設定される。
【００４１】
固定部材３３は、遊技球衝突部材３２と同じく、例えばポリカーボネート等の合成樹脂により成形されており、コイルバネ３１の下端を支持する台座部７５と、遊技盤８と当接して固定される平板部７６とから基本的に構成されている。
【００４２】
台座部７５は、平板部７６に対して突出して形成されており、その中央部には、前記遊技球衝突部材３２に形成された導入孔７４と同じ直径Ｄ２の円形断面を有する排出孔７７が形成されている。排出孔７７は、コイルバネ３１が固定された上面から下面へと貫通されて形成されている。
【００４３】
一方、平板部７６は、コイルバネ３１を遊技盤８に対して固定する為の接合部分であり、略長方形状の板状部材から構成されている。そして、右上角部と左下角部とにネジ孔７９が形成されており、平板部７６を遊技盤８面に当接させるとともに、ネジ８０によって遊技盤８に固定される。
【００４４】
また、変形支持部材８５は、第１変形支持部材８６と第２変形支持部材８７との２つの板状部材が連結部８８で連結され、連結部８８を中心に互いに回転可能となるように構成されている。更に、第１変形支持部材８６の上端部は遊技球衝突部材３２にピン８９によって取り付けられており、遊技球衝突部材３２に対して回転可能に支持されている。また、第２変形支持部材８７の下端部は固定部材３３の台座部７５にピン９０によって取り付けられており、台座部７５に対して回転可能に支持されている。そして、コイルバネ３１の前面を覆うようにして取り付けられる。
ここで、変形支持部材８５は遊技盤８に対して平行方向には各回転軸を中心に自由に変形するが、遊技盤８に対して垂直方向には変形しないように構成される。
【００４５】
以上のように構成された第２実施形態に係る遊技球振分部材３０において、発射装置２０（図３参照）より遊技領域９内に発射された遊技球７３が、遊技球衝突部材３２に対して垂直上向き以外の方向（斜め方向や横方向等）より進行してきた場合には、遊技球衝突部材３２に遊技球７３が衝突する。
ここで、遊技球７３に衝突された遊技球振分部材３０は、衝突の衝撃によって胴体部となるコイルバネ３１が弾性変形するが、その際に、変形支持部材８５によって、その弾性変形方向は遊技盤８に対して平行方向に限定される。即ち、遊技球７３が遊技球衝突部材３２に対して、前後方向（図１０中、左右方向）より衝突した場合であっても、コイルバネ３１は変形支持部材８５によって前後方向の変形が抑制されるので、遊技球衝突部材３２が窓部７に嵌められたガラス板や、遊技盤８に対して衝突することがない。従って、ガラス板や、遊技盤８との衝突による衝突音の発生を防止し、また衝突の衝撃によって各部材が破損する虞もなくなる。
【００４６】
以上説明した通り第２実施形態に係るパチンコ機１では、遊技盤８の遊技領域９内に設けられた遊技球振分部材３０は、胴体部をなすコイルバネ３１が遊技盤８に対して平行方向に位置するように固定部材３３によって支持され、コイルバネ３１の上端部に設けられた遊技球衝突部材３２に遊技球７３が衝突した際には、衝突の衝撃によってコイルバネ３１が弾性変形し、遊技球衝突部材３２が左右方向に往復運動するとともに、衝突した遊技球７３は移動する遊技球衝突部材３２によってその進行方向を大きく変更され、再度遊技領域９へと送り出される。従って、遊技者は遊技盤８上で多彩に変形する遊技球振分部材３０を遊技者側より視認可能とすることにより遊技者の興趣を高めることができ、また、遊技球７３の軌道に関しても遊技者の予測し得ない程度の大きな変化を与えることが可能となるので、遊技性を多様化させることができる。
また、特にコイルバネ３１の上端部に設けられた遊技球衝突部材３２に対して垂直方向より遊技球７３が進入した際には、遊技球衝突部材３２に形成された導入孔７４に遊技球７３が進入し、コイルバネ３１の内部を通過して固定部材３３の台座部７５に形成された排出孔７７より再び遊技領域９へと排出されるので、衝突による遊技球７３の軌道変更に加えて、遊技球７３を振分部材の内部に通過させる新たな軌道を提供し、遊技性を多様化させることができる。
更に、コイルバネ３１の前面に取り付けられた変形支持部材８５により、コイルバネ３１の弾性変形方向は遊技盤８に対して平行方向に限定される。即ち、遊技球７３が遊技球衝突部材３２に対して、前後方向（図１０中、左右方向）より衝突した場合であっても、コイルバネ３１は変形支持部材８５によって前後方向の変形が抑制されるので、遊技球衝突部材３２が窓部７に嵌められたガラス板や、遊技盤８に対して衝突することがない。従って、ガラス板や、遊技盤８との衝突による衝突音の発生を防止し、また衝突の衝撃によって各部材が破損する虞もなくなる。
また、変形支持部材８５によりコイルバネ３１が被覆されるので、装置の見栄えが良くなる。
【００４７】
（第３実施形態）
次に、第３施形態に係るパチンコ機について図１１乃至図１５に基づいて説明する。尚、以下の説明において上記図１乃至図８の第１実施形態に係るパチンコ機１の構成と同一符号は、該第１実施形態に係るパチンコ機１等の構成と同一あるいは相当部分を示すものである。
【００４８】
この第３実施形態に係るパチンコ機の概略構成は、第１実施形態に係るパチンコ機１とほぼ同じ構成である。また、各種制御処理も第１実施形態に係るパチンコ機１とほぼ同じ制御処理である。
但し、第３実施形態に係るパチンコ機は、遊技球振分部材の胴体部を構成する弾性部材がコイルバネではなく、板バネにより形成されている点で前記第１実施形態に係るパチンコ機１と異なっている。
【００４９】
以下に、第３実施形態に係る前記遊技盤８の遊技領域９内に設けられた遊技球振分部材９５について図１１乃至図１３を用いて詳細に説明する。図１１は第３実施形態に係る遊技盤に設けられた遊技球振分部材を示した正面図、図１２は第３実施形態に係る遊技盤に設けられた遊技球振分部材を示した側面図、図１３は第３実施形態に係る遊技盤に設けられた遊技球振分部材を示した上面図である。
【００５０】
遊技球振分部材９５は、図１１乃至図１３に示すように、互いに平行に配置された弾性部材である２枚の板バネ９６、９７と、板バネ９６、９７の上端部に取り付けられた遊技球衝突部材３２と、板バネ９６、９７の下端を支持するとともに遊技盤８上に板バネ９６、９７を固定する固定部材３３とにより構成されている。
【００５１】
板バネ９６、９７は、距離Ｄ３（図１１参照）の間隔を持って互いに平行に支持されている。更に、下端部が固定部材３３によって固定され、遊技盤８に対して平面が垂直に、且つ板バネ９６、９７の長さ方向がパチンコ機１の設置面に対して垂直になるように支持され、遊技球通過空間９８を形成している。一方、上端には遊技球衝突部材３２が取り付けられている。
そして、第３実施形態に係る板バネ９６、９７は、遊技領域内を転動する遊技球７３（図１４参照）の直径ｄよりも板バネ間の距離Ｄ３が大きくなるように設定される。
【００５２】
遊技球衝突部材３２は、例えばポリカーボネート等の合成樹脂により略半球形状に成形されており、板バネ９６、９７の上端に球面が上方に位置するように取り付けられている。更に、遊技球衝突部材３２の内部には、導入孔７４が設けられている。導入孔７４は直径Ｄ２（図１１参照）の円形断面を有し、遊技球衝突部材３２の上面より下面に貫通して形成されている。
そして、第３実施形態に係る遊技球衝突部材３２は、遊技領域内を転動する遊技球７３（図７参照）の直径ｄよりも導入孔７４の円直径Ｄ２は大きくなるように設定される。
【００５３】
固定部材３３は、遊技球衝突部材３２と同じく、例えばポリカーボネート等の合成樹脂により成形されており、板バネ９６、９７の下端を支持する台座部７５と、遊技盤８と当接して固定される平板部７６とから基本的に構成されている。
【００５４】
台座部７５は、平板部７６に対して突出して形成されており、その中央部には、前記遊技球衝突部材３２に形成された導入孔７４と同じ直径Ｄ２の円形断面を有する排出孔７７が形成されている。排出孔７７は、板バネ９６、９７が固定された上面から下面へと貫通されて形成されている。
【００５５】
一方、平板部７６は、板バネ９６、９７を遊技盤８に対して固定する為の接合部分であり、略長方形状の板状部材から構成されている。そして、右上角部と左下角部とにネジ孔７９が形成されており、平板部７６を遊技盤８面に当接させるとともに、ネジ８０によって遊技盤８に固定される。
【００５６】
続いて、以上のように構成された遊技球振分部材９５の遊技球の振り分け機構について説明する。図１４は遊技球が垂直方向より進行した際の遊技球振分部材を示した正面図である。図１５は遊技球が垂直以外の方向より進行した際の遊技球振分部材を示した正面図である。
【００５７】
遊技者がハンドル１９を回し、発射装置２０（図３参照）より遊技領域９内に発射された遊技球７３が、遊技球衝突部材３２に対して垂直上向きより進行してきた場合には、図１４に示すように、遊技球衝突部材３２の導入孔７４に遊技球７３が挿入する。
そして、挿入された遊技球７３は、板バネ９６、９７との間に形成された遊技球通過空間９８の内部を落下し、固定部材３３の台座部７５に形成された排出孔７７を通過して、再び遊技領域９へと排出される。
【００５８】
一方、発射装置２０（図３参照）より遊技領域９内に発射された遊技球７３が、遊技球衝突部材３２に対して垂直上向き以外の方向（斜め方向や横方向等）より進行してきた場合には、図１５に示すように、遊技球衝突部材３２に遊技球７３が衝突する。
ここで、遊技球７３に衝突された遊技球振分部材９５は、衝突の衝撃によって胴体部となる板バネ９６、９７が遊技盤８に対して平行方向に弾性変形し、更にバネの弾性力によって左右方向（図１５中、矢印９９方向）に往復運動する。
一方、遊技球衝突部材３２に衝突した遊技球７３は、その進行方向を大きく変更し、再度遊技領域９へと送り出される。また、遊技球７３が衝突した遊技球振分部材９５は前記したように板バネ９６、９７の弾性変形によって左右方向へと振り子のように移動することとなるので、遊技盤８に対して固定された振分部材等に衝突した場合と比較して、衝突した遊技球７３の軌道が遊技者の予測し得ない多彩な変化をすることとなる。
【００５９】
更に、板バネ９６、９７は平面が遊技盤８に対して垂直方向をなすように支持されているので、その弾性変形方向は遊技盤８に対して平行方向に限定される。即ち、遊技球７３が遊技球衝突部材３２に対して、前後方向（図１２中、左右方向）より衝突した場合であっても、板バネ９６、９７は前後方向の変形がなされないので、遊技球衝突部材３２が窓部７に嵌められたガラス板や、遊技盤８に対して衝突することがない。従って、ガラス板や、遊技盤８との衝突による衝突音の発生を防止し、また衝突の衝撃によって各部材が破損する虞もなくなる。
【００６０】
以上説明した通り第３実施形態に係るパチンコ機１では、遊技盤８の遊技領域９内に設けられた遊技球振分部材９５は、胴体部をなす板バネ９６、９７が遊技盤８に対して平面が垂直をなすように固定部材３３によって支持され、板バネ９６、９７の上端部に設けられた遊技球衝突部材３２に遊技球７３が衝突した際には、衝突の衝撃によって板バネ９６、９７が弾性変形し、遊技球衝突部材３２が左右方向に往復運動するとともに、衝突した遊技球７３は移動する遊技球衝突部材３２によってその進行方向を大きく変更され、再度遊技領域９へと送り出される。従って、遊技者は遊技盤８上で多彩に変形する遊技球振分部材９５を遊技者側より視認可能とすることにより遊技者の興趣を高めることができ、また、遊技球７３の軌道に関しても遊技者の予測し得ない程度の大きな変化を与えることが可能となるので、遊技性を多様化させることができる。
また、特に板バネ９６、９７の上端部に設けられた遊技球衝突部材３２に対して垂直方向より遊技球７３が進入した際には、遊技球衝突部材３２に形成された導入孔７４に遊技球７３が進入し、遊技球通過空間９８を通過して固定部材３３の台座部７５に形成された排出孔７７より再び遊技領域９へと排出されるので、衝突による遊技球７３の軌道変更に加えて、遊技球７３を振分部材の内部に通過させる新たな軌道を提供し、遊技性を多様化させることができる。
更に、板バネ９６、９７の弾性変形方向は遊技盤８に対して平行方向に限定されるので、遊技球７３が遊技球衝突部材３２に対して、前後方向（図１２中、左右方向）より衝突した場合であっても、板バネ９６、９７は前後方向に変形することなく、遊技球衝突部材３２が窓部７に嵌められたガラス板や、遊技盤８に対して衝突することがない。従って、ガラス板や、遊技盤８との衝突による衝突音の発生を防止し、また衝突の衝撃によって各部材が破損する虞もなくなる。
【００６１】
尚、本発明は前記実施例に限定されるものではなく、本発明の要旨を逸脱しない範囲内で種々の改良、変形が可能であることは勿論である。
例えば、第１乃至第３実施形態においては、コイルバネ３１又は板バネ９６、９７の上端に遊技球衝突部材３２を設け、下端を固定部材３３により支持しているが、下端に遊技球衝突部材３２を設け、上端を固定部材３３により支持してもよい。
【００６２】
また、遊技球振分部材３０、９５の設置場所は特別図柄表示装置２５の側部に限らず、例えば、入賞口４７、４８の上部や、始動口３９の上部に設置しても良い。
【符号の説明】
【００６３】
１                パチンコ機
３                中枠
８                遊技盤
９                遊技領域
３０、９５        遊技球振分部材
３１              コイルバネ
３２              遊技球衝突部材
３３              固定部材
７３              遊技球
７４              導入孔
７５              台座部
７６              平板部
７７              排出孔
８５              変形支持部材
８６              第１変形支持部材
８７              第２変形支持部材
９６、９７        板バネ
９８              遊技球通過空間
Ｐ                巻きピッチ
ｄ                遊技球直径
Ｄ１              コイルバネ内径
Ｄ２              導入孔及び排出口の直径
Ｄ３              板バネ間隔
【図１】
2010158596.tif 000003
【図２】
2010158596.tif 000004
【図３】
2010158596.tif 000005
【図４】
2010158596.tif 000006
【図５】
2010158596.tif 000007
【図６】
2010158596.tif 000008
【図７】
2010158596.tif 000009
【図８】
2010158596.tif 000010
【図９】
2010158596.tif 000011
【図１０】
2010158596.tif 000012
【図１１】
2010158596.tif 000013
【図１２】
2010158596.tif 000014
【図１３】
2010158596.tif 000015
【図１４】
2010158596.tif 000016
【図１５】
2010158596.tif 000017